(57)【要約】【課題】  セル境界付近における移動局の回線品質の劣化を招くことなく、その移動局に対して高速伝送を行うことが可能な移動通信システムを提供する。【解決手段】  ＨＳ−ＰＤＳＣＨデータ送信タイミング検知部１５は記録媒体２１に格納されたプログラムを実行することで、移動局からのＨＳ−ＰＤＳＣＨのデータの送信タイミング通知を監視し、送信タイミング通知を受信すると、その送信タイミング通知を制御部１６に送る。制御部１６はＨＳ−ＰＤＳＣＨデータ送信タイミング検知部１５からの送信タイミング通知に応答して変調・符号化部１７からのＨＳ−ＰＤＳＣＨのデータの送信電力を制御する。また、制御部１６は自局から移動局にＨＳ−ＰＤＳＣＨのデータを送信する場合、ＨＳ−ＰＤＳＣＨデータ送信タイミング通知部１８から移動局にＨＳ−ＰＤＳＣＨのデータの送信タイミング情報を送出させるように制御する。【選択図】  図２
2005102319.tif 000002
【特許請求の範囲】
【請求項１】
少なくとも第１及び第２の基地局各々のセル境界付近に位置する移動局と前記第１及び第２の基地局各々との間で個別信号の送受信を行うことでソフトハンドオーバを実現し、前記第１及び第２の基地局各々から前記移動局に対してデータ送信が行われる移動通信システムであって、
前記第１及び第２の基地局のうちの一方において前記データ送信が行われる場合に他方の基地局に通知する手段を前記移動局に含み、前記移動局が前記データ通信タイミング情報を前記他方の基地局に通知し、
前記基地局は、前記通知を前記移動局から受けてときに自己の送信電力を制御する制御手段を有することを特徴とする移動通信システム。
【請求項２】
前記タイミング情報を通知する手段は、前記データ送信のタイミングを示す数値を前記タイミング情報として前記第１及び第２の基地局のうちの他方に通知するよう構成したことを特徴とする請求項１記載の移動通信システム。
【請求項３】
前記タイミング情報を通知する手段は、前記データ送信の開始タイミングが予め設定された所定時間後にあることを通知する信号を前記タイミング情報として前記第１及び第２の基地局のうちの他方に通知するよう構成したことを特徴とする請求項１記載の移動通信システム。
【請求項４】
前記データ送信のタイミングを前記移動局に通知する手段を前記第１及び第２の基地局各々に含むことを特徴とする請求項１から請求項３のいずれか記載の移動通信システム。
【請求項５】
前記制御手段は、前記他の移動局への前記データ送信を停止させるよう構成したことを特徴とする請求項１から４のいずれか１つに記載の移動通信システム。
【請求項６】
前記制御手段は、前記他の移動局への前記データ送信の送信電力を減少させるよう構成したことを特徴とする請求項１から６のいずれか１つに記載の移動通信システム。
【請求項７】
前記制御手段は、前記移動局からの通知信号に基づいて前記データ送信の終了を検出するまで前記他の移動局への前記データ送信の送信電力を制御するよう構成したことを特徴とする請求項１から請求項６のいずれか１つに記載の移動通信システム。
【請求項８】
前記第１及び第２の基地局各々からの共通パイロット信号の受信品質を測定する測定手段と、前記測定手段の測定結果に基づいた情報を前記第１及び第２の基地局のうちの他方に通知する通知手段とを前記移動局に含み、前記制御手段は、前記通知手段からの情報に基づいて前記データ送信の送信電力を制御するよう構成したことを特徴とする請求項１から請求項４のいずれか記載の移動通信システム。
【請求項９】
前記通知手段は、前記測定手段で測定された前記第１及び第２の基地局各々からの共通パイロット信号の受信品質をそのまま前記第１及び第２の基地局のうちの他方に通知するよう構成したことを特徴とする請求項８記載の移動通信システム。
【請求項１０】
前記通知手段は、前記測定手段で測定された前記第１及び第２の基地局各々からの共通パイロット信号の受信品質の差を計算して前記第１及び第２の基地局のうちの他方に通知するよう構成したことを特徴とする請求項８記載の移動通信システム。
【請求項１１】
前記制御手段は、前記第１及び第２の基地局各々からの共通パイロット信号の受信品質の差が予め設定されたしきい値より大きい時に前記他の移動局への前記データ送信の送信電力を制御するよう構成したことを特徴とする請求項９または請求項１０記載の移動通信システム。
【請求項１２】
前記通知手段は、前記測定手段の測定結果から前記移動局に対する干渉が大きいと判断した時に前記第１及び第２の基地局のうちの他方に前記データ送信の送信電力制御を促すための信号を通知するよう構成したことを特徴とする請求項８記載の移動通信システム。
【請求項１３】
前記通知手段は、前記第１及び第２の基地局各々からの共通パイロット信号の受信品質の差が予め設定されたしきい値より大きい時に前記第１及び第２の基地局のうちの他方を識別するための識別情報を通知するよう構成したことを特徴とする請求項１２記載の移動通信システム。
【請求項１４】
前記制御手段は、前記識別情報を受信している時に前記他の移動局への前記データ送信の送信電力を制御するよう構成したことを特徴とする請求項１３記載の移動通信システム。
【請求項１５】
前記識別情報は、複数の基地局を特定する情報であることを特徴とする請求項１３または請求項１４記載の移動通信システム。
【請求項１６】
前記通知手段は、前記第１及び第２の基地局のうちの他方に通知する情報を前記個別信号を用いて通知するよう構成したことを特徴とする請求項８から請求項１５のいずれか記載の移動通信システム。
【請求項１７】
前記データ送信は、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）方式で行なわれることを特徴とする請求項１から１６のいずれか１つに記載の移動通信システム。
【請求項１８】
セル境界付近に位置する移動局との間で個別信号の送受信を行うことでソフトハンドオーバを実現し、前記移動局に対してデータ送信を行う基地局であって、他局における前記
データ送信のタイミング情報が前記移動局から通知された場合に、このタイミング情報に応じて、自局における前記データ送信電力を制御する制御手段を有することを特徴とする基地局。
【請求項１９】
前記制御手段は、前記タイミング情報として受信しかつ前記データ送信のタイミングを示す数値を基に前記データ送信の送信電力を制御するよう構成したことを特徴とする請求項１８記載の基地局。
【請求項２０】
前記制御手段は、前記タイミング情報として受信しかつ前記データ送信の開始タイミングが予め設定された所定時間後にあることを通知する信号を基に前記データ送信の送信電力を制御するよう構成したことを特徴とする請求項１８記載の基地局。
【請求項２１】
前記データ送信のタイミングを前記移動局に通知する手段を含むことを特徴とする請求項１８から請求項２０のいずれかひとつに記載の基地局。
【請求項２２】
前記制御手段は、前記移動局から通知されるタイミングと同じタイミングで自局における前記データ送信の送信電力を制御するよう構成したことを特徴とする請求項１８から請求項２１のいずれか記載の基地局。
【請求項２３】
前記制御手段は、自局における前記データ送信を停止させるよう構成したことを特徴とする請求項２２記載の基地局。
【請求項２４】
前記制御手段は、自局における前記データ送信の送信電力を減少させるよう構成したことを特徴とする請求項２２記載の基地局。
【請求項２５】
前記制御手段は、前記移動局からの通知信号に基づいて前記データ送信の終了を検出するまで前記他の移動局への前記データ送信の送信電力を制御するよう構成したことを特徴とする請求項２２から請求項２４のいずれか記載の基地局。
【請求項２６】
前記制御手段は、自局及び他局からの共通パイロット信号の受信品質の測定結果に基づいた情報が前記移動局から送られてきた時に、その情報に基づいて前記データ送信の送信電力を制御するよう構成したことを特徴とする請求項１８から請求項２５のいずれか記載の基地局。
【請求項２７】
前記制御手段は、前記共通パイロット信号の受信品質がそのまま前記移動局から通知された時にその受信品質に応じて前記データ送信の送信電力を制御するよう構成したことを特徴とする請求項２６記載の基地局。
【請求項２８】
前記制御手段は、前記共通パイロット信号の受信品質の差が前記移動局から通知された時にその受信品質の差に応じて前記データ送信の送信電力を制御するよう構成したことを特徴とする請求項２６記載の基地局。
【請求項２９】
前記制御手段は、前記共通パイロット信号の受信品質の差が予め設定されたしきい値より大きい時に自局における前記データ送信の送信電力を制御するよう構成したことを特徴とする請求項２７または請求項２８記載の基地局。
【請求項３０】
前記制御手段は、前記受信品質の測定結果から前記移動局に対する干渉が大きいと前記移動局で判断された時に通知されかつ前記データ送信の送信電力制御を促すための信号に応じて前記ＨＳＤＰＡ方式でのデータ送信の送信電力を制御するよう構成したことを特徴とする請求項２６記載の基地局。
【請求項３１】
前記制御手段は、前記共通パイロット信号の受信品質の差が予め設定されたしきい値より大きいと前記移動局で判断された時に通知されかつ自局及び他局を識別するための識別情報に応じて前記データ送信の送信電力を制御するよう構成したことを特徴とする請求項３０記載の基地局。
【請求項３２】
前記制御手段は、前記識別情報を受信している時に自局における前記データ送信の送信電力を制御するよう構成したことを特徴とする請求項３１記載の基地局。
【請求項３３】
前記識別情報は、複数の基地局を特定する情報であることを特徴とする請求項３１または請求項３２記載の基地局。
【請求項３４】
前記制御手段は、前記移動局からの前記個別信号を用いた情報に基づいて前記データ送信の送信電力を制御するよう構成したことを特徴とする請求項２６から請求項３３のいずれか記載の基地局。
【請求項３５】
前記データ送信は、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）方式で行なわれることを特徴とする請求項１８から３４のいずれか１つに記載の基地局。
【請求項３６】
少なくとも第１及び第２の基地局各々のセル境界付近に位置する移動局と前記第１及び第２の基地局各々との間で個別信号の送受信を行うことでソフトハンドオーバを実現し、前記第１及び第２の基地局各々から前記移動局に対してデータ送信が行われる移動通信システムのパケット送信タイミング制御方法であって、
前記第１及び第２の基地局のうちの一方において前記データ送信が行われる場合に、前記移動局が前記一方の基地局における前記データ送信のタイミングを示すタイミング情報を他方の基地局に通知するステップを有し、通知を受けた基地局は、通知されたタイミング情報に応じて、そのデータ送信電力を制御することを特徴とするパケット送信タイミング制御方法。
【請求項３７】
前記タイミング情報を通知するステップは、前記データ送信のタイミングを示す数値を前記タイミング情報として前記第１及び第２の基地局のうちの他方に通知するようにしたことを特徴とする請求項３６記載のパケット送信タイミング制御方法。
【請求項３８】
前記タイミング情報を通知するステップは、前記データ送信の開始タイミングが予め設定された所定時間後にあることを通知する信号を前記タイミング情報として前記第１及び第２の基地局のうちの他方に通知するようにしたことを特徴とする請求項３６記載のパケット送信タイミング制御方法。
【請求項３９】
前記データ送信のタイミングを前記移動局に通知するステップを前記第１及び第２の基地局各々に含むことを特徴とする請求項３６から請求項３８のいずれか記載のパケット送信タイミング制御方法。
【請求項４０】
前記データ送信を制御するステップは、前記移動局から通知されるタイミングと同じタイミングで前記第１及び第２の基地局のうちの他方から他の移動局への前記データ送信の送信電力を制御するようにしたことを特徴とする請求項３６から請求項３９のいずれか記載のパケット送信タイミング制御方法。
【請求項４１】
前記データ送信を制御するステップは、前記他の移動局への前記データ送信を停止させるようにしたことを特徴とする請求項４０記載のパケット送信タイミング制御方法。
【請求項４２】
前記データ送信を制御するステップは、前記他の移動局への前記データ送信の送信電力を減少させるようにしたことを特徴とする請求項４０記載のパケット送信タイミング制御方法。
【請求項４３】
前記データ送信を制御するステップは、前記移動局からの通知信号に基づいて前記データ送信の終了を検出するまで前記他の移動局への前記データ送信の送信電力を制御するようにしたことを特徴とする請求項４０から請求項４２のいずれか記載のパケット送信タイミング制御方法。
【請求項４４】
前記第１及び第２の基地局各々からの共通パイロット信号の受信品質を測定するステップと、その測定結果に基づいた情報を前記第１及び第２の基地局のうちの他方に通知するステップとを前記移動局に含み、前記データ送信を制御するステップは、前記測定結果に基づいた情報を通知するステップからの情報に基づいて前記ＨＳＤＰＡ方式でのデータ送信の送信電力を制御するようにしたことを特徴とする請求項３５から請求項４３のいずれか記載のパケット送信タイミング制御方法。
【請求項４５】
前記測定結果に基づいた情報を通知するステップは、測定された前記第１及び第２の基地局各々からの共通パイロット信号の受信品質をそのまま前記第１及び第２の基地局のうちの他方に通知するようにしたことを特徴とする請求項４４記載のパケット送信タイミング制御方法。
【請求項４６】
前記測定結果に基づいた情報を通知するステップは、測定された前記第１及び第２の基地局各々からの共通パイロット信号の受信品質の差を計算して前記第１及び第２の基地局のうちの他方に通知するようにしたことを特徴とする請求項４４記載のパケット送信タイミング制御方法。
【請求項４７】
前記データ送信を制御するステップは、前記第１及び第２の基地局各々からの共通パイロット信号の受信品質の差が予め設定されたしきい値より大きい時に前記他の移動局への前記データ送信の送信電力を制御するようにしたことを特徴とする請求項４５または請求項４６記載のパケット送信タイミング制御方法。
【請求項４８】
前記測定結果に基づいた情報を通知するステップは、前記測定結果から前記移動局に対する干渉が大きいと判断した時に前記第１及び第２の基地局のうちの他方に前記データ送信の送信電力制御を促すための信号を通知するようにしたことを特徴とする請求項４４記載のパケット送信タイミング制御方法。
【請求項４９】
前記測定結果に基づいた情報を通知するステップは、前記第１及び第２の基地局各々からの共通パイロット信号の受信品質の差が予め設定されたしきい値より大きい時に前記第１及び第２の基地局のうちの他方を識別するための識別情報を通知するようにしたことを特徴とする請求項４８記載のパケット送信タイミング制御方法。
【請求項５０】
前記データ送信を制御するステップは、前記識別情報を受信している時に前記他の移動局への前記データ送信の送信電力を制御するようにしたことを特徴とする請求項４９記載のパケット送信タイミング制御方法。
【請求項５１】
前記識別情報は、複数の基地局を特定する情報であることを特徴とする請求項４９または請求項５０記載のパケット送信タイミング制御方法。
【請求項５２】
前記測定結果に基づいた情報を通知するステップは、前記第１及び第２の基地局のうちの他方に通知する情報を前記個別信号を用いて通知するようにしたことを特徴とする請求項４４から請求項５１のいずれか記載のパケット送信タイミング制御方法。
【請求項５３】
前記データ送信は、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）方式で行なわれることを特徴とする請求項３６から５２のいずれか１つに記載のパケット送信タイミング制御方法。
【請求項５４】
少なくとも第１及び第２の基地局各々のセル境界付近に位置する移動局と前記第１及び第２の基地局各々との間で個別信号の送受信を行うことでソフトハンドオーバを実現し、前記第１及び第２の基地局各々から前記移動局に対してデータ送信が行われる移動通信システムのパケット送信タイミング制御方法のプログラムであって、コンピュータに、
前記第１及び第２の基地局のうちの一方においてデータ送信が行われる場合に、前記移動局が前記一方の基地局における前記データ送信のタイミングを示すタイミング情報を他方の基地局に通知する処理と、通知を受けた基地局は、通知されたタイミング情報に応じて、そのデータ送信電力を制御する処理を実行させるためのプログラム。
【請求項５５】
前記データ送信は、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）方式で行なわれることを特徴とする請求項５４に記載のプログラム。
【発明の詳細な説明】
【技術分野】
【０００１】
本発明は移動通信システム、基地局及びそれに用いるパケット送信タイミング制御方法並びにそのプログラムに関し、特にＨＳＤＰＡ（Ｈｉｇｈ  ＳｐｅｅｄＤｏｗｎｌｉｎｋ  Ｐａｃｋｅｔ  Ａｃｃｅｓｓ）方式で送信されるデータの送信タイミングの制御方法に関する。
【背景技術】
【０００２】
近年、携帯電話機等の移動端末（移動局）においては、データ量の多い静止画や短時間の動画等を扱うためのマルチメディア対応が進められており、それに伴って大容量かつ高速のデータ伝送方法が必要となっている。この大容量かつ高速のデータ伝送方法としては、下り方向（基地局から移動局への方向）の伝送速度のみを高速化したＰＤＳＣＨ（Ｐｈｙｓｉｃａｌ  Ｄｏｗｎｌｉｎｋ  Ｓｈａｒｅｄ  Ｃｈａｎｎｅｌ）やＨＳ−ＰＤＳＣＨ（ＨｉｇｈＳｐｅｅｄ−Ｐｈｙｓｉｃａｌ  Ｄｏｗｎｌｉｎｋ  Ｓｈａｒｅｄ  Ｃｈａｎｎｅｌ）を用いたＨＳＤＰＡ方式等が提案されている。
【０００３】
上記のＨＳ−ＰＤＳＣＨを用いて基地局から移動局にデータ送信を行う移動通信システムにおいては、ソフトハンドオーバ中の基地局から送信されてくる共通パイロット信号（ＣＰＩＣＨ：Ｃｏｍｍｏｎ  Ｐｉｌｏｔ  Ｃｈａｎｎｅｌ）の受信品質［Ｅｃ／Ｉｏ（チップ当たりのエネルギ／単位周波数当たりの干渉波電力）］を移動局で測定し、その測定結果が移動局から基地局を介して基地局制御装置に通知される。
【０００４】
基地局制御装置では、移動局での測定結果を基に、共通パイロット信号の受信品質が最も高い基地局に、ＨＳＤＰＡ方式で送信されるデータを転送する。基地局では基地局制御装置から送られてきたデータをブロックに分け、下り回線の回線品質に応じて、最適なデータ伝送レートでブロックに分けたデータを順次送信する。ここで、最適なデータ伝送レートとは、目標とする誤り率を満たしつつ送信することができる最大の伝送レートのことであり、回線品質がよいほど、すなわち移動局における受信ＳＩＲ［Ｓｉｇｎａｌ  ＩｎｔｅｒｆｅｒｅｒｅｎｃｅＲａｔｉｏ：希望電力／（干渉電力＋雑音）］が高いほど高速な伝送が可能となる。ＨＳＤＰＡ方式では、通常、基地局における送信電力が一定となっているため、雑音が一定とすると、ＨＳＤＰＡ方式による伝送速度は干渉電力に反比例する。
【発明の開示】
【発明が解決しようとする課題】
【０００５】
上述した来の移動通信システムでは、ＨＳＤＰＡ方式でデータを送信する際の送信タイミングが各基地局で独立に行われ、セル境界付近の移動局でもデータが１つの基地局からしか送られてこないので、上記の移動局に対してＨＳＤＰＡ方式でデータが送信されている時に、その移動局が自セルの境界付近に存在する他の基地局から別の移動局に対してＨＳＤＰＡ方式でデータが送信されると、セル境界付近の移動局において干渉が増加して受信品質が劣化してしまう。よって、セル境界付近における移動局の回線品質が劣化し、その移動局に対する高速伝送が困難になるという問題がある。
【０００６】
また、移動局が共通パイロット信号の受信品質の測定結果を基地局を介して基地局制御装置に通知し、基地局制御装置から共通パイロット信号の受信品質が最も高い基地局に、ＨＳＤＰＡ方式で送信されるデータが転送されているので、ＨＳＤＰＡ方式でのデータ送信が開始されるまでに制御遅延が生じることとなる。この制御遅延の間にも伝搬路の状況が変化するため、基地局制御装置で選択された基地局が、ＨＳＤＰＡ方式でのデータ送信時に回線品質が最も高いとは限らない。
【０００７】
そこで、本発明の目的は上記の問題点を解消し、セル境界付近における移動局の回線品質の劣化を招くことなく、その移動局に対して高速伝送を行うことができる移動通信システム、基地局及びそれに用いるパケット送信タイミング制御方法並びにそのプログラムを提供することにある。
【課題を解決するための手段】
【０００８】
本発明による移動通信システムは、少なくとも第１及び第２の基地局各々のセル境界付近に位置する移動局と前記第１及び第２の基地局各々との間で個別信号の送受信を行うことでソフトハンドオーバを実現し、前記第１及び第２の基地局各々から前記移動局に対してＨＳＤＰＡ（Ｈｉｇｈ  Ｓｐｅｅｄ  Ｄｏｗｎｌｉｎｋ  Ｐａｃｋｅｔ  Ａｃｃｅｓｓ）方式でデータ送信が行われる移動通信システムであって、前記第１及び第２の基地局のうちの一方において前記ＨＳＤＰＡ方式でのデータ送信が行われる場合に前記第１及び第２の基地局のうちの他方における前記ＨＳＤＰＡ方式でのデータ送信を制御する制御手段を備えている。
【０００９】
本発明による基地局は、セル境界付近に位置する移動局との間で個別信号の送受信を行うことでソフトハンドオーバを実現し、前記移動局に対してＨＳＤＰＡ（Ｈｉｇｈ  Ｓｐｅｅｄ  Ｄｏｗｎｌｉｎｋ  Ｐａｃｋｅｔ  Ａｃｃｅｓｓ）方式でデータ送信を行う基地局であって、他局において前記ＨＳＤＰＡ方式でのデータ送信が行われる場合に自局における前記ＨＳＤＰＡ方式でのデータ送信を制御する制御手段を備えている。
【００１０】
本発明によるパケット送信タイミング制御方法は、少なくとも第１及び第２の基地局各々のセル境界付近に位置する移動局と前記第１及び第２の基地局各々との間で個別信号の送受信を行うことでソフトハンドオーバを実現し、前記第１及び第２の基地局各々から前記移動局に対してＨＳＤＰＡ（Ｈｉｇｈ  ＳｐｅｅｄＤｏｗｎｌｉｎｋ  Ｐａｃｋｅｔ  Ａｃｃｅｓｓ）方式でデータ送信が行われる移動通信システムのパケット送信タイミング制御方法であって、前記第１及び第２の基地局のうちの一方において前記ＨＳＤＰＡ方式でのデータ送信が行われる場合に前記第１及び第２の基地局のうちの他方における前記ＨＳＤＰＡ方式でのデータ送信を制御するステップを備えている。
【００１１】
本発明によるパケット送信タイミング制御方法のプログラムは、少なくとも第１及び第２の基地局各々のセル境界付近に位置する移動局と前記第１及び第２の基地局各々との間で個別信号の送受信を行うことでソフトハンドオーバを実現し、前記第１及び第２の基地局各々から前記移動局に対してＨＳＤＰＡ（ＨｉｇｈＳｐｅｅｄ  Ｄｏｗｎｌｉｎｋ  Ｐａｃｋｅｔ  Ａｃｃｅｓｓ）方式でデータ送信が行われる移動通信システムのパケット送信タイミング制御方法のプログラムであって、コンピュータに、前記第１及び第２の基地局のうちの一方において前記ＨＳＤＰＡ方式でのデータ送信が行われる場合に前記第１及び第２の基地局のうちの他方における前記ＨＳＤＰＡ方式でのデータ送信を制御する処理を実行させている。
【００１２】
すなわち、本発明の移動通信システムは、隣接する基地局のセル境界に移動局が存在しかつその基地局から移動局に対してＨＳＤＰＡ方式でのデータ送信が行われている時、当該移動局へのパケットの伝送レートを低下させないように、自局から他の移動局に対するＨＳＤＰＡ方式でのデータ送信タイミングを制御することで、隣接する基地局のセル境界にある移動局の伝送レートを向上させ、システム全体のスループットの向上を図ることが可能となる。
【００１３】
具体的に説明すると、本発明の移動通信システムでは、第１及び第２の基地局のセル境界付近に位置し、これら第１及び第２の基地局との間で個別信号（ＤＰＣＨ：Ｄｅｄｉｃａｔｅｄ  Ｐｈｙｓｉｃａｌ  Ｃｈａｎｎｅｌ）の送受信を行っている移動局に対して第１の基地局からＨＳＤＰＡ方式でのデータ送信が行われる場合、ＨＳＤＰＡ方式でのデータの送信タイミングが第１の基地局から移動局に通知されると、移動局から第２の基地局にその送信タイミングが上り回線の個別信号を用いて通知され、第２の基地局が移動局から通知される送信タイミングに基づいて自局におけるＨＳＤＰＡ方式でのデータの送信タイミングを制御する。
【００１４】
自局におけるＨＳＤＰＡ方式でのデータの送信タイミングの制御において、第２の基地局は他の移動局へのＨＳＤＰＡ方式でのデータの送信タイミングが移動局から通知される第１の基地局からの送信タイミングと同じタイミングにならないようにする。
【００１５】
また、自局におけるＨＳＤＰＡ方式でのデータの送信タイミングの制御において、第２の基地局は移動局の上り回線の個別信号を受信した時に、その個別信号にパケット受信確認信号が含まれていれば、他の移動局へのＨＳＤＰＡ方式でのデータ送信における送信電力を制御して停止する（この送信電力の制御には停止のみでなく、送信電力の減少を含む）。
【００１６】
さらに、自局におけるＨＳＤＰＡ方式でのデータの送信タイミングの制御において、第２の基地局は移動局の上り回線の個別信号を受信した時に、その個別信号に含まれている共通パイロット信号の受信品質に関する情報に基づいて、他の移動局へのＨＳＤＰＡ方式でのデータの送信タイミングを制御する。
【００１７】
この場合、移動局が上り回線の個別信号に付加する共通パイロット信号の受信品質に関する情報としては、第１及び第２の基地局からの共通パイロット信号の受信品質の測定結果や第１及び第２の基地局からの共通パイロット信号の受信品質から判断した干渉の大きい基地局を示す情報（例えば、予め設定された基地局識別符号等）がある。
【００１８】
また、第２の基地局は移動局の上り回線の個別信号に含まれている共通パイロット信号の受信品質に関する情報によって当該移動局に対する自局からの干渉が大きいと判断すると、他の移動局へのＨＳＤＰＡ方式でのデータ送信における送信電力を制御して停止する。
【００１９】
上記のように、第２の基地局から他の移動局へのＨＳＤＰＡ方式でのデータの送信タイミングを制御することで、セル境界付近における移動局の回線品質の劣化を招くことなく、その移動局に対する高速伝送を行うことが可能となる。
【００２０】
つまり、移動局がセル境界に位置する場合、通信中の基地局からの伝搬損が大きく、また隣接する基地局との伝搬損の差が小さくなるため、移動局では大きな干渉を受けることとなる。したがって、例えば第１の移動局が第１及び第２の基地局のセル境界付近に位置している時、第１の基地局が第１の移動局にパケット送信を行い、第２の基地局が第２の移動局にパケット送信を行うと、第２の基地局の送信信号が第１の移動局に対して強い干渉を与え、第１の基地局から第１の移動局へのパケットの伝送レートが半分以下に低下する。
【００２１】
そこで、本発明では第１の移動局が第１及び第２の基地局のセル境界付近に位置する時、隣接する第２の基地局が、第１の基地局から第１の移動局へのパケットの伝送レートを大きく低下させないように、第２の移動局へのパケットの送信タイミングを制御することで、第１の移動局へのパケットの伝送レートを向上させ、システム全体のスループットを高くしている。
【発明の効果】
【００２２】
以上説明したように本発明によれば、第１及び第２の基地局各々のセル境界付近に位置する移動局と第１及び第２の基地局各々との間で個別信号の送受信を行うことでソフトハンドオーバを実現し、第１及び第２の基地局各々から移動局に対してデータ送信が行われる移動通信システムにおいて、第１及び第２の基地局のうちの一方においてデータ送信が行われる場合に第１及び第２の基地局のうちの他方におけるデータ送信を制御することによって、移動局を介して行なうことにより、セル境界付近における移動局の回線品質の劣化を招くことなく、その移動局に対して高速伝送を行うことができるという効果がある。
【発明を実施するための最良の形態】
【００２３】
次に、本発明の実施の形態について図面を参照して説明する。図１は本発明の実施の形態による移動通信システムの構成を示すブロック図である。図１において、本発明の実施の形態による移動通信システムは基地局１−１，１−２と、基地局制御装置［例えば、ＲＮＣ（Ｒａｄｉｏ  Ｎｅｔｗｏｒｋ  Ｃｏｎｔｒｏｌｌｅｒ）］２と、移動局３−１〜３−４とから構成され、基地局１−１，１−２から移動局３−１〜３−４へはＨＳＤＰＡ（Ｈｉｇｈ  Ｓｐｅｅｄ  Ｄｏｗｎｌｉｎｋ  Ｐａｃｋｅｔ  Ａｃｃｅｓｓ）方式でデータ送信が行われている。
【００２４】
本発明の実施の形態による移動通信システムでは、サービスエリア内に複数の基地局１−１，１−２が配置され、各基地局１−１，１−２のセル１０１，１０２内には複数の移動局３−１〜３−４が存在する。また、各基地局１−１，１−２は共通の基地局制御装置２に接続され、基地局制御装置２は図示せぬ通信網に接続されている。
【００２５】
各基地局１−１，１−２は移動局３−１〜３−４に共通パイロット信号（ＣＰＩＣＨ：Ｃｏｍｍｏｎ  Ｐｉｌｏｔ  Ｃｈａｎｎｅｌ）を送信している。共通パイロット信号はセル１０１，１０２毎に異なるスクランブル符号によって拡散されており、移動局３−１〜３−４はスクランブル符号の違いによってセル１０１，１０２（すなわち、基地局１−１，１−２）を識別する。
【００２６】
移動局３−１は下りデータを受信する時、１つまた複数の基地局１−１，１−２と個別信号（ＤＰＣＨ：Ｄｅｄｉｃａｔｅｄ  Ｐｈｙｓｉｃａｌ  Ｃｈａｎｎｅｌ）（上り回線及び下り回線）を設定し、データ受信待ち状態となる。この場合、移動局３−１は基地局１−１，１−２からの共通パイロット信号の受信品質［Ｅｃ／Ｉｏ（チップ当たりのエネルギ／単位周波数当たりの干渉波電力）］を測定し、共通パイロット信号の受信品質が最も高い基地局１−１との間に個別信号を設定する。
【００２７】
移動局３−１は基地局１−１，１−２との間において、共通パイロット信号の受信品質の差が予め設定した所定値以下の場合に、基地局１−２との間にも個別信号を設定し、複数の基地局１−１，１−２と個別信号を設定している状態、いわゆるソフトハンドオーバとなる。
【００２８】
各基地局１−１，１−２は移動局３−１〜３−４に対してＨＳ−ＰＤＳＣＨ（Ｈｉｇｈ  Ｓｐｅｅｄ−Ｐｈｙｓｉｃａｌ  Ｄｏｗｎｌｉｎｋ  ＳｈａｒｅｄＣｈａｎｎｅｌ：高速下り共用チャネル）のデータをブロックに分けて送信する。ＨＳ−ＰＤＳＣＨは個別信号よりも高速のチャネルであり、下りの個別信号よりも大きな送信電力で送信される。
【００２９】
各基地局１−１，１−２は１つのＨＳ−ＰＤＳＣＨを複数の移動局３−１〜３−４に対するデータの送信に用いている。この場合、各基地局１−１，１−２は複数の移動局３−１〜３−４各々へのデータ送信を行う際に、そのデータ送信のタイミングを決定し、各移動局３−１〜３−４毎に異なるタイミングでデータの送信を行う。
【００３０】
その際、基地局１−１はＨＳ−ＰＤＳＣＨのデータをブロックに分けて移動局３−１に送信する。このブロックにはＣＲＣ（Ｃｙｃｌｉｃ  Ｒｅｄｕｎｄａｎｃｙ  Ｃｈｅｃｋ）符号（誤り検出符号）が付加されている。移動局３−１はＨＳ−ＰＤＳＣＨのデータブロックを受信すると、ＣＲＣ符号を用いて各データブロックの受信誤りの有無を判定し、その判定結果を基地局１−１に対して通知する。
【００３１】
基地局制御装置２は通信網から移動局３−１に送信するデータが到着すると、そのデータを移動局３−１が個別信号を設定している基地局１−１，１−２のうちの受信品質の高い基地局１−１に送る。基地局１−１は基地局制御装置２から移動局３−１に送信するデータが到着すると、個別信号を用いて移動局３−１にデータ送信の予告（送信タイミングの通知）を行う。
【００３２】
移動局３−１では基地局１−１からデータ送信の予告が通知されると、上り回線の個別信号において、ソフトハンドオーバ中の基地局１−２に、基地局１−１からデータの送信タイミングを通知する。基地局１−２では通知された送信タイミングで、他の移動局（例えば、移動局３−２や移動局３−４）へのＨＳ−ＰＤＳＣＨのデータブロックを送信しないようにする。
【００３３】
ここで、ＨＳ−ＰＤＳＣＨで送信されるデータの送信電力は一定であり、このデータの伝送レートは下り回線の伝搬損及び干渉電力によって適応的に制御される。この場合、送信電力及び伝搬損の大きさが一定であれば、伝送レートは干渉電力に反比例する。尚、移動局３−１がセル境界に位置し、隣接するセルとの伝搬損の差が小さい場合でも、ＨＳ−ＰＤＳＣＨによるデータ送信は基地局１−１のみからしか行われない。
【００３４】
上記の例では基地局１−１からデータ送信の予告が行われているが、パケットが送られてくる場合に、移動局３−１がパケットが送られてくるタイミングの所定時間Ｔだけ前に、パケットが送信されてくることを示す信号を基地局１−１，１−２に送信し、基地局１−１，１−２がその信号が送られてきてから所定の時間Ｔ後に移動局３−１にパケット送信があると判断することができる構成もある。この構成の場合には、移動局３−１からのパケットが送信されてくることを示す信号で、基地局１−２が基地局１−１から移動局３−１へのパケット送信のタイミングを知ることができるので、移動局３−１から基地局１−２へのデータ送信の予告は不要である。この点は以下の説明でも同様である。
【００３５】
また、上記の例では基地局１−２が通知された送信タイミングで、他の移動局へのＨＳ−ＰＤＳＣＨのデータブロックを送信しないようにしているが、その場合に基地局１−１から移動局３−１へのデータ送信に対する干渉を減らせればよいので、基地局１−２から他の移動局へのＨＳ−ＰＤＳＣＨのデータブロックの送信電力を減らすようにしてもよい。以下、上記のデータ送信を停止することや送信電力を減らすことを送信電力の制御とする。
【００３６】
図２は本発明の第１の実施例による基地局の構成を示すブロック図である。図２において、基地局１はアンテナ１１と、送受信共用器（ＤＵＰ：ｄｕｐｌｅｘｅｒ）１２と、受信部１３と、ユーザ情報・制御情報分離部１４と、ＨＳ−ＰＤＳＣＨデータ送信タイミング検知部（以下、送信タイミング検知部とする）１５と、制御部１６と、変調・符号化部１７と、ＨＳ−ＰＤＳＣＨデータ送信タイミング通知部（以下、送信タイミング通知部とする）１８と、合成部１９と、送信部２０と、記録媒体２１とを含んで構成されている。尚、基地局１の呼制御部分、音声入出力部分、表示部分については、公知の技術が適用可能であるので、それらの構成及び動作についての説明は省略する。
【００３７】
受信部１３はアンテナ１１及び送受信共用器１２を介して受信した信号［ＤＰＣＨ（ＵＬ）等］をユーザ情報・制御情報分離部１４に送出する。ユーザ情報・制御情報分離部１４は受信部１３からの受信信号をユーザ情報（音声信号、画像信号等）と制御情報とに分離し、ユーザ情報を上述した基地局１の呼制御部分、音声出力部分、表示部分に送出し、制御情報を送信タイミング検知部１５と制御部１６とにそれぞれ送出する。
【００３８】
送信タイミング検知部１５は記録媒体２１に格納されたプログラムを実行することで、図示せぬ移動局からのＨＳ−ＰＤＳＣＨのデータの送信タイミング通知を監視し、送信タイミング通知を受信すると、その送信タイミング通知を制御部１６に送る。
【００３９】
制御部１６は記録媒体２１に格納されたプログラムを実行することで、ユーザ情報・制御情報分離部１４からの制御情報及び外部からの入力情報（例えば、図示せぬ基地局制御装置からの制御情報等）を基に各種制御信号を生成して基地局１内の各部に出力して制御する。尚、記録媒体２１には制御部１６を含む基地局１の各部が実行するプログラムが格納されている。
【００４０】
また、制御部１６は送信タイミング検知部１５からの送信タイミング通知に応答して変調・符号化部１７からのＨＳ−ＰＤＳＣＨのデータの送信電力を制御する。さらに、制御部１６は自局から移動局にＨＳ−ＰＤＳＣＨのデータを送信する場合、送信タイミング通知部１８から移動局にＨＳ−ＰＤＳＣＨのデータの送信タイミング情報を送出させるように制御する。
【００４１】
変調・符号化部１７は制御部１６の制御によってユーザ情報の変調・符号化を行い、ＨＳ−ＰＤＳＣＨのデータとして合成部１９に送出する。送信タイミング通知部１８は制御部１６の制御によって、変調・符号化部１７からＨＳ−ＰＤＳＣＨのデータを送信する際にその送信タイミング情報を合成部１９に送出する。
【００４２】
合成部１９は制御部１６からの制御情報、変調・符号化部１７からのＨＳ−ＰＤＳＣＨのデータ、送信タイミング通知部１８からの送信タイミング情報、基地局１の呼制御部分や音声入力部分等の外部からの入力信号等を合成し、ＤＰＣＨ（ＤＬ），ＨＳ−ＰＤＳＣＨとして送信部２０及び送受信共用器１２を介してアンテナ１１から発信する。
【００４３】
尚、図示していないが、図１に示す基地局１−１，１−２は上述した図２に示す基地局１の構成と同様の構成となっており、その動作も基地局１の動作と同様である。
【００４４】
図３は本発明の第１の実施例による移動局の構成を示すブロック図である。図３において、移動局３はアンテナ３１と、送受信共用器（ＤＵＰ：ｄｕｐｌｅｘｅｒ）３２と、受信部３３と、ユーザ情報・制御情報分離部３４と、制御部３５と、復調・復号化部３６と、ＨＳ−ＰＤＳＣＨデータ送信タイミング検知・通知部（以下、送信タイミング検知・通知部とする）３７と、合成部３８と、送信部３９と、記録媒体４０とを含んで構成されている。尚、移動局３の呼制御部分、音声入出力部分、表示部分については、公知の技術が適用可能であるので、それらの構成及び動作についての説明は省略する。
【００４５】
受信部３３はアンテナ３１及び送受信共用器３２を介して受信した信号（共通パイロット信号、個別信号、ＨＳ−ＰＤＳＣＨ）をユーザ情報・制御情報分離部３４に送出する。ユーザ情報・制御情報分離部３４は受信部３３からの受信信号をユーザ情報（音声信号、画像信号等）と制御情報とに分離し、ユーザ情報を復調・復号化部３６、上述した移動局３の呼制御部分、音声出力部分、表示部分にそれぞれ送出し、制御情報を制御部３５及び送信タイミング検知・通知部３７にそれぞれ送出する。
【００４６】
制御部３５は記録媒体４０に格納されたプログラムを実行することで、ユーザ情報・制御情報分離部３４からの制御情報及び外部からの入力情報（例えば、テンキーや音声入部分からのユーザ情報等）を基に各種制御信号を生成して移動局３内の各部に出力して制御するとともに、基地局１への制御情報を生成して合成部３８に送出する。尚、記録媒体４０には制御部３５を含む移動局３の各部が実行するプログラムが格納されている。
【００４７】
復調・復号化部３６はユーザ情報・制御情報分離部３４で分離されたユーザ情報の復調・復号化を行い、ＨＳ−ＰＤＳＣＨのデータを移動局３内の各部に出力する。送信タイミング検知・通知部３７はユーザ情報・制御情報分離部３４で分離された制御情報内にＨＳ−ＰＤＳＣＨのデータの送信タイミング情報があるかどうかを監視し、その送信タイミング情報を検知すると、その情報を制御部３５に渡すとともに、隣り合う基地局へ送る送信タイミング情報を合成部３８に送出する。
【００４８】
合成部３８は制御部３５からの制御情報、送信タイミング検知・通知部３７からの送信タイミング情報、移動局３の呼制御部分や音声入力部分等の外部からの入力信号等を合成し、上り回線の個別信号［ＤＰＣＨ（ＵＬ）］として送信部３９及び送受信共用器３２を介してアンテナ３１から発信する。
【００４９】
尚、図示していないが、図１に示す移動局３−１〜３−４は上述した図３に示す移動局３の構成と同様の構成となっており、その動作も移動局３の動作と同様である。
【００５０】
図４は本発明の第１の実施例によるＨＳ−ＰＤＳＣＨのデータの送信タイミング調整処理を示すシーケンスチャートであり、図５及び図６は本発明の第１の実施例による図１の基地局１−１，１−２でのＨＳ−ＰＤＳＣＨのデータの送信タイミング調整処理を示すフローチャートであり、図７は本発明の第１の実施例による図１の移動局３−１でのＨＳ−ＰＤＳＣＨのデータの受信処理を示すフローチャートである。これら図１〜図７を参照して本発明の第１の実施例によるＨＳ−ＰＤＳＣＨのデータの送受信について説明する。尚、図４において、基地局制御装置２をＲＮＣとし、基地局１−１，１−２をＢＳ＃１，ＢＳ＃２とし、移動局３−１をＭＳ＃１としており、移動局３−１は基地局１−１，１−２との間でソフトハンドオーバにあるものとする。
【００５１】
基地局１−１は基地局制御装置２から移動局３−１に送信すべきデータが入力されると（図５ステップＳ１）、下り回線の個別信号を用いて移動局３−１にＨＳ−ＰＤＳＣＨのデータブロックの送信予告を送信する（図５ステップＳ２）。その後に、基地局１−１は移動局３−１にＨＳ−ＰＤＳＣＨのデータブロックを送信する（図５ステップＳ３）。
【００５２】
この時、移動局３−１では基地局１−１からのＨＳ−ＰＤＳＣＨのデータブロックの送信予告を受信すると（図７ステップＳ１１）、そのデータブロックの送信予告を送信タイミング情報として基地局１−２に送信する（図７ステップＳ１２）。
【００５３】
また、移動局３−１は基地局１−１からＨＳ−ＰＤＳＣＨのデータブロック（パケット＃１，＃２，・・・）を受信すると（図７ステップＳ１３）、そのデータブロックが最後のデータブロックでなければ（図７ステップＳ１４）、ソフトハンドオーバ中の基地局１−１，１−２にデータブロック受信の応答（ＡＣＫ：ａｃｋｎｏｗｌｅｄｇｅｍｅｎｔ）を送信する（図７ステップＳ１５）。
【００５４】
基地局１−１は移動局３−１からデータブロック受信の応答を受信する毎に（図５ステップＳ４）、次のデータブロックを移動局３−１に順次送信していく（図５ステップＳ５）。
【００５５】
一方、基地局１−２では移動局３−１からの送信タイミング情報を受信すると（図６ステップＳ７）、基地局１−１から移動局３−１にデータブロックが送信されるタイミングを基に自局から別の移動局３−２または移動局３−４へのＨＳ−ＰＤＳＣＨのデータブロックの送信電力を制御する（図６ステップＳ８）。
【００５６】
また、移動局３−１は基地局１−１から最後のデータブロック（パケット＃ｎ）を受信すると（図７ステップＳ１４）、ソフトハンドオーバ中の基地局１−１，１−２にデータブロックの受信終了通知を送信する（図７ステップＳ１６）。
【００５７】
基地局１−１は移動局３−１からデータブロックの受信終了通知を受信すると（図５ステップＳ６）、ステップＳ１に戻って基地局制御装置２からの次のデータを待つ。また、基地局１−２は移動局３−１からデータブロックの受信終了通知を受信すると（図６ステップＳ９）、自局から別の移動局３−２または移動局３−４へのＨＳ−ＰＤＳＣＨのデータブロックの送信電力の制御を解除し（図６ステップＳ１０）、ステップＳ１に戻って基地局制御装置２からの次のデータか、移動局３−１，３−２，３−４からの送信タイミング情報を待つ。
【００５８】
このように、伝搬損の差が小さい隣接するセル１０２からのＨＳ−ＰＤＳＣＨによる大きな干渉を低減することによって、セル１０１境界付近の移動局３−１への基地局１−１からのＨＳ−ＰＤＳＣＨ送信の伝送速度を向上させることができる。
【００５９】
実際には伝搬損が最小でない基地局１−１からＨＳ−ＰＤＳＣＨが送信される場合でも、伝搬損が最小の基地局１−２から他の移動局３−２，３−４に送信するＨＳ−ＰＤＳＣＨによる大きな干渉を低減することができる。つまり、移動局３−１においてはマルチパスによる干渉をキャンセルすることができるが、他の基地局１−２からの干渉をキャンセルすることは困難であり、上記のように、伝搬損が最小の基地局１−２から他の移動局３−２，３−４に送信するＨＳ−ＰＤＳＣＨによる大きな干渉が低減可能となることで、移動局３−１への基地局１−１からのＨＳ−ＰＤＳＣＨの送信の伝送速度の向上に与える効果には多大なものがある。
【００６０】
この場合、隣接するセル１０２でのＨＳ−ＰＤＳＣＨの送信を少し遅らせることで、システム全体のスループットを向上させることができる。また、同時に送信しないことで、セル境界付近に存在する移動局３−１に強い干渉波を与えないため、その移動局３−１に対する伝送レートを２倍以上に高くすることができるので、セル当たりのスループットを高くすることができる。
【００６１】
特に、セル境界付近では信号電力が小さいため、雑音電力と干渉波電力との割合が大きくなる。したがって、ＳＩＲ（Ｓｉｇｎａｌ  Ｉｎｔｅｒｆｅｒｅｎｃｅ  Ｒａｔｉｏ）が小さく、伝送レートが低くなるため、セル境界付近以外の移動局３−２〜３−４に比べて、同じデータ量を送るのにチャネルを使用する時間が長くなる。よって、このような移動局３−１に対する伝送レートを高めることは、システム全体のスループットを高める効果が大きい。
【００６２】
一方、各セル１０１，１０２において、セル境界付近の移動局３−１に対してＨＳ−ＰＤＳＣＨの送信を行っていない場合には、隣接するセル１０１，１０２で同時にパケット伝送を行っても、各移動局３−２〜３−４に対して大きな干渉波電力を与えないため、伝送レートの減少分が比較的小さい。したがって、隣接するセル１０１，１０２で同時にパケット伝送を行うことで、システム全体のスループットを向上させることができる。
【００６３】
上述したように、隣接するセル１０１，１０２におけるパケットの送信状況に応じて、自セルの移動局３−１〜３−４に対して同時に送信を行うか否かを決定することで、いずれの状況においても、システム全体のスループットを最大にすることができる。
【００６４】
尚、本実施例では基地局１−１，１−２が移動局３−１からデータブロックの受信終了通知を受信するようにしているが、移動局３−１からデータブロック受信の応答［ＡＣＫ（ａｃｋｎｏｗｌｅｄｇｅｍｅｎｔ）やＮＡＣＫ（ｎｅｇａｔｉｖｅ  ａｃｋｎｏｗｌｅｄｇｅｍｅｎｔ）］を受信してから所定時間、移動局３−１からデータブロック受信の応答がないことを検出することでも、データブロックの受信終了を検出することができる。したがって、この検出に応答してＨＳ−ＰＤＳＣＨのデータブロックの送信電力の制御を解除するようにしてもよい。この点は以下の説明でも同様である。
【００６５】
図８は本発明の第２の実施例による基地局の構成を示すブロック図である。図８において、本発明の第２の実施例による基地局４は送信タイミング検知部１５及び制御部１６の代わりにコードワード検知部４１及びそのコードワード検知部４１の検知結果に応じて制御を行う制御部４２を設けた以外は図２の本発明の第１の実施例による基地局１と同様の構成となっており、同一構成要素には同一符号を付してある。また、同一構成要素の動作は本発明の第１の実施例と同様である。
【００６６】
コードワード検知部４１は図示せぬ基地局制御装置からの自局の識別符号を検知すると、その識別符号を保持し、ソフトハンドオーバ中の移動局（図示せず）から受信したコードワードを自局の識別符号と比較し、それらが一致すると、その旨を制御部４２に通知する。制御部４２は自局の識別符号との一致が通知されると、他の移動局（図示せず）へのＨＳ−ＰＤＳＣＨのデータの送信電力を制御する。
【００６７】
図９は本発明の第２の実施例による移動局の構成を示すブロック図である。図９において、本発明の第２の実施例による移動局５は送信タイミング検知・通知部３７の代わりに受信品質測定部５１及びコードワード通知部５２を設けた以外は図３の本発明の第１の実施例による移動局３と同様の構成となっており、同一構成要素には同一符号を付してある。また、同一構成要素の動作は本発明の第１の実施例と同様である。
【００６８】
受信品質測定部５１はユーザ情報・制御情報分離部３４で分離された共通パイロット信号の受信品質を測定し、その測定結果をコードワード通知部５２に通知する。コードワード通知部５２はソフトハンドオーバ中の基地局（図示せず）からの共通パイロット信号の受信品質の差が予め設定されたしきい値以上であれば、ＨＳ−ＰＤＳＣＨのデータを送信する基地局以外の基地局にその識別符号を示すコードワードを合成部３８に送り、上り回線の個別信号を用いて当該基地局に通知する。
【００６９】
尚、図示していないが、本発明の第２の実施例は図１に示す移動通信システムと同様の構成であり、図１に示す基地局１−１，１−２は上述した図８に示す移動局４の構成と同様の構成となっており、その動作も移動局４の動作と同様である。また、図１に示す移動局３−１〜３−４は上述した図９に示す移動局５の構成と同様の構成となっており、その動作も移動局５の動作と同様である。
【００７０】
図１０は本発明の第２の実施例によるＨＳ−ＰＤＳＣＨのデータの送信タイミング調整処理を示すシーケンスチャートであり、図１１及び図１２は本発明の第２の実施例による図１の基地局１−１，１−２でのＨＳ−ＰＤＳＣＨのデータの送信タイミング調整処理を示すフローチャートであり、図１３は本発明の第２の実施例による図１の移動局３−１でのＨＳ−ＰＤＳＣＨのデータの受信処理を示すフローチャートである。これら図１と図８〜図１３とを参照して本発明の第２の実施例によるＨＳ−ＰＤＳＣＨのデータの送受信について説明する。尚、図１０において、基地局制御装置２をＲＮＣとし、基地局１−１，１−２をＢＳ＃１，ＢＳ＃２とし、移動局３−１をＭＳ＃１としており、移動局３−１は基地局１−１，１−２との間でソフトハンドオーバにあるものとする。
【００７１】
基地局制御装置２は基地局１−１，１−２各々の識別符号を決定する。その場合、基地局制御装置２は基地局１−１，１−２各々の識別符号を、例えばａ，ｂ，ｃ，・・・，ｈの中から互いに重複しないように選択する。その後に、基地局制御装置２はその決定した識別符号を基地局１−１，１−２各々に通知するとともに、移動局３−１に基地局１−１，１−２双方の識別符号を通知する。
【００７２】
基地局１−１は基地局制御装置２から移動局３−１に送信すべきデータが入力されると（図１１ステップＳ２１）、移動局３−１にＨＳ−ＰＤＳＣＨのデータブロックを送信する（図１１ステップＳ２２）。
【００７３】
この時、移動局３−１では基地局１−１からＨＳ−ＰＤＳＣＨのデータブロック（パケット＃１，＃２，・・・）を受信すると（図１３ステップＳ３１，Ｓ３２）、そのデータブロックが最後のデータブロックでなければ（図１３ステップＳ３３）、ソフトハンドオーバ中の基地局１−１，１−２各々からの共通パイロット信号の受信品質を受信品質測定部５１で測定し、それら受信品質の差が予め設定されたしきい値以上かを判定する（図１３ステップＳ３４）。移動局３−１はそれら受信品質の差がしきい値以上でなければ、ソフトハンドオーバ中の基地局１−１，１−２にデータブロック受信の応答（ＡＣＫ）を送信する（図１３ステップＳ３５）。
【００７４】
また、移動局３−１は受信品質の差がしきい値以上であれば、ＨＳ−ＰＤＳＣＨのデータブロックを送信する基地局１−１にデータブロック受信の応答を送信するとともに、ＨＳ−ＰＤＳＣＨのデータブロックを送信しない基地局１−２にコードワード通知部５２から通知されるコードワードを付加したデータブロック受信の応答を送信する（図１３ステップＳ３６）。
【００７５】
基地局１−１は移動局３−１からデータブロック受信の応答を受信する毎に（図１１ステップＳ２３）、次のデータブロックを移動局３−１に順次送信していく（図１１ステップＳ２４）。
【００７６】
一方、基地局１−２では移動局３−１からのデータブロック受信の応答にコードワードが付加されており、そのコードワードが自局の識別符号と一致すれば（図１２ステップＳ２６）、自局から別の移動局３−２または移動局３−４へのＨＳ−ＰＤＳＣＨのデータブロックの送信電力を制御する（図１２ステップＳ２７）。以後、基地局１−２では移動局３−１からのデータブロック受信の応答にコードワードが付加されている間、自局から別の移動局３−２または移動局３−４へのＨＳ−ＰＤＳＣＨのデータブロックの送信電力を制御する。
【００７７】
また、移動局３−１は基地局１−１から最後のデータブロック（パケット＃ｎ）を受信すると（図１３ステップＳ３３）、ソフトハンドオーバ中の基地局１−１，１−２にデータブロックの受信終了通知を送信する（図１３ステップＳ３７）。
【００７８】
基地局１−１は移動局３−１からデータブロックの受信終了通知を受信すると（図１１ステップＳ２５）、ステップＳ２１に戻って基地局制御装置２からの次のデータを待つ。また、基地局１−２は移動局３−１からデータブロックの受信終了通知を受信すると、つまり移動局３−１から自局の識別符号を示すコードワードの送信が停止すると（図１２ステップＳ２８）、自局から別の移動局３−２または移動局３−４へのＨＳ−ＰＤＳＣＨのデータブロックの送信電力の制御を解除し（図１２ステップＳ２９）、ステップＳ２１に戻って基地局制御装置２からの次のデータか、移動局３−１，３−２，３−４からのコードワードを待つ。
【００７９】
ソフトハンドオーバを行う基地局１−１，１−２は基地局制御装置２を介して決定されるため、基地局１−１，１−２の更新を行うまでの遅延が存在する。したがって、既に伝搬損の差が大きくなっているような基地局でも、更新遅延の間は個別信号のソフトハンドオーバを行っている。
【００８０】
よって、本発明の第１の実施例のように、基地局１−１が移動局３−１にＨＳ−ＰＤＳＣＨのデータの送信を行う際に、常に基地局１−２にＨＳ−ＰＤＳＣＨのデータの送信電力を制御させると、基地局１−２からのＨＳ−ＰＤＳＣＨのデータの送信が移動局３−１に大きな干渉を与えないような場合でも、基地局１−２がＨＳ−ＰＤＳＣＨのデータの送信電力を制御してしまうこととなる。そのため、実際には移動局３−１のスループットが向上しないにもかかわらず、基地局１−２のスループットが低下してしまい、システム全体のスループットが低下する場合もある。
【００８１】
これに対し、本実施例では移動局３−１が基地局１−１，１−２の共通パイロット信号の受信品質を測定し、基地局１−２からの干渉が一定のレベルより大きい場合に、直接、基地局１−２に通知しているため、実際に移動局３−１に対して大きな干渉を与える場合のみ、基地局１−２から他の移動局３−２，３−４へのＨＳ−ＰＤＳＣＨのデータの送信電力を制御することができ、システム全体のスループットを最大にすることができる。
【００８２】
また、移動局３−１と基地局１−１，１−２が個別信号の送受信を行っている場合でも、基地局１−１と基地局１−２との伝搬損の差が大きくなっていれば、基地局１−２から他の移動局３−２，３−４へのＨＳ−ＰＤＳＣＨのデータの送信を通常通り行い、それによる基地局１−２から移動局３−１への干渉も小さいため、システム全体のスループットを最大にすることができる。尚、本実施例のその他の効果は本発明の第１の実施例と同様である。
【００８３】
図１４は本発明の第３の実施例によるＨＳ−ＰＤＳＣＨのデータの送信タイミング調整処理を示すシーケンスチャートであり、図１５及び図１６は本発明の第３の実施例による図１の基地局１−１，１−２でのＨＳ−ＰＤＳＣＨのデータの送信タイミング調整処理を示すフローチャートであり、図１７は本発明の第３の実施例による図１の移動局３−１でのＨＳ−ＰＤＳＣＨのデータの受信処理を示すフローチャートである。これら図１と図１４〜図１７とを参照して本発明の第３の実施例によるＨＳ−ＰＤＳＣＨのデータの送受信について説明する。尚、図１４において、基地局制御装置２をＲＮＣとし、基地局１−１，１−２をＢＳ＃１，ＢＳ＃２とし、移動局３−１をＭＳ＃１としており、移動局３−１は基地局１−１，１−２との間でソフトハンドオーバにあるものとする。
【００８４】
尚、図示していないが、本発明の第３の実施例は図１に示す移動通信システムと同様の構成であり、図１に示す基地局１−１，１−２は上述した図８に示す移動局４の構成と同様の構成となっており、その動作も移動局４の動作と同様である。また、図１に示す移動局３−１〜３−４は上述した図９に示す移動局５の構成と同様の構成となっており、その動作も移動局５の動作と同様である。
【００８５】
基地局制御装置２は基地局１−１，１−２各々の識別符号を決定する。その場合、基地局制御装置２は基地局１−１，１−２各々の識別符号を、例えばａ，ｂ，ｃ，・・・，ｈの中から互いに重複しないように選択する。その後に、基地局制御装置２はその決定した識別符号を基地局１−１，１−２各々に通知するとともに、移動局３−１に基地局１−１，１−２双方の識別符号を通知する。
【００８６】
基地局１−１は基地局制御装置２から移動局３−１に送信すべきデータが入力されると（図１５ステップＳ４１）、下り回線の個別信号を用いて移動局３−１にＨＳ−ＰＤＳＣＨのデータブロックの送信予告を送信する（図１５ステップＳ４２）。その後に、基地局１−１は移動局３−１にＨＳ−ＰＤＳＣＨのデータブロックを送信する（図１５ステップＳ４３）。
【００８７】
この時、移動局３−１では基地局１−１からのＨＳ−ＰＤＳＣＨのデータブロックの送信予告を受信すると（図１７ステップＳ５１）、そのデータブロックの送信予告を送信タイミング情報として基地局１−２に送信する（図１７ステップＳ５２）。
【００８８】
また、移動局３−１は基地局１−１からＨＳ−ＰＤＳＣＨのデータブロック（パケット＃１，＃２，・・・）を受信すると（図１７ステップＳ５３）、そのデータブロックが最後のデータブロックでなければ（図１７ステップＳ５４）、ソフトハンドオーバ中の基地局１−１，１−２各々からの共通パイロット信号の受信品質を受信品質測定部５１で測定し、それら受信品質の差が予め設定されたしきい値以上かを判定する（図１７ステップＳ５５）。移動局３−１はそれら受信品質の差がしきい値以上でなければ、ソフトハンドオーバ中の基地局１−１，１−２にデータブロック受信の応答（ＡＣＫ）を送信する（図１７ステップＳ５６）。
【００８９】
また、移動局３−１は受信品質の差がしきい値以上であれば、ＨＳ−ＰＤＳＣＨのデータブロックを送信する基地局１−１にデータブロック受信の応答を送信するとともに、ＨＳ−ＰＤＳＣＨのデータブロックを送信しない基地局１−２にコードワード通知部５２から通知されるコードワードを付加したデータブロック受信の応答を送信する（図１７ステップＳ５７）。
【００９０】
基地局１−１は移動局３−１からデータブロック受信の応答を受信する毎に（図１５ステップＳ４４）、次のデータブロックを移動局３−１に順次送信していく（図１５ステップＳ４５）。
【００９１】
一方、基地局１−２では移動局３−１からの送信タイミング情報を受信すると（図１６ステップＳ４７）、基地局１−１から移動局３−１にデータブロックが送信されるタイミングを基に自局から別の移動局３−２または移動局３−４へのＨＳ−ＰＤＳＣＨのデータブロックの送信電力を制御する（図１６ステップＳ４８）。以後、基地局１−２では移動局３−１からのデータブロック受信の応答にコードワードが付加されている間、自局から別の移動局３−２または移動局３−４へのＨＳ−ＰＤＳＣＨのデータブロックの送信電力を制御する。
【００９２】
また、移動局３−１は基地局１−１から最後のデータブロック（パケット＃ｎ）を受信すると（図１７ステップＳ５４）、ソフトハンドオーバ中の基地局１−１，１−２にデータブロックの受信終了通知を送信する（図１７ステップＳ５８）。
【００９３】
基地局１−１は移動局３−１からデータブロックの受信終了通知を受信すると（図１５ステップＳ４６）、ステップＳ４１に戻って基地局制御装置２からの次のデータを待つ。また、基地局１−２は移動局３−１からデータブロックの受信終了通知を受信すると、つまり移動局３−１から自局の識別符号を示すコードワードの送信が停止すると（図１６ステップＳ４９）、自局から別の移動局３−２または移動局３−４へのＨＳ−ＰＤＳＣＨのデータブロックの送信電力の制御を解除し（図１６ステップＳ５０）、ステップＳ４１に戻って基地局制御装置２からの次のデータか、移動局３−１，３−２，３−４からの送信タイミング情報を待つ。
【００９４】
本実施例では上述した本発明の第２の実施例のように、基地局１−２が移動局３−１からのコードワードの到着を待ってＨＳ−ＰＤＳＣＨのデータブロックの送信電力の制御を行うのではなく、移動局３−１からの送信タイミング情報を基にＨＳ−ＰＤＳＣＨのデータブロックの送信電力の制御を行うので、最初から基地局１−２の干渉が大きい場合に、最初からスループットの向上を図ることができる。尚、本実施例の他の効果は本発明の第２の実施例の効果と同様である。
【００９５】
図１８は本発明の第４の実施例による移動通信システムの構成を示すブロック図である。図１８において、本発明の第４の実施例による移動通信システムは基地局１−３とそのセル１０３とを加えた以外は図１に示す本発明の実施の形態による移動通信システムと同様の構成となっている。
【００９６】
つまり、図１８には移動局３−１が３つの基地局１−１〜１−３との間で個別信号を送受信する場合の構成を示している。この場合、基地局制御装置２は各基地局１−１〜１−３の識別符号を決定するとともに、それらの組合せの識別符号も合わせて決定し、その決定した内容を各基地局１−１〜１−３に通知するとともに、移動局３−１にも通知する。
【００９７】
図１９は図１８の基地局制御装置２で決定される識別符号の一例を示す図である。図１９において、基地局制御装置２は“０１０１０１”を基地局１−１（ＢＳ＃１）の識別符号とし、“０１０１１０”を基地局１−２（ＢＳ＃２）の識別符号とし、“０１０１１１”を基地局１−３（ＢＳ＃３）の識別符号とし、“１０１１０１”を基地局１−１と基地局１−２との組合せ（ＢＳ＃１＆ＢＳ＃２）の識別符号とし、“１１１１０１”を基地局１−２と基地局１−３との組合せ（ＢＳ＃２＆ＢＳ＃３）の識別符号としている。
【００９８】
移動局３−１は上記の識別符号を保持しており、ソフトハンドオーバ中の基地局１−１〜１−３各々からの共通パイロット信号の受信品質を受信品質測定部５１で測定し、それら受信品質の差が予め設定されたしきい値以上になると、ＨＳ−ＰＤＳＣＨのデータブロックを送信する基地局１−１以外の基地局１−２，１−３に、それらの基地局１−２，１−３の組合せを示す識別符号“１１１１０１”を示すコードワードを基地局１−２，１−３へのデータブロック受信の応答に付加して送信する。尚、受信品質の差がしきい値以上となる基地局が、例えば基地局１−３のみの場合であれば、移動局３−１は基地局１−３を示す識別符号“０１０１１１”を示すコードワードを基地局１−３へのデータブロック受信の応答に付加して送信する。
【００９９】
これによって、移動局３−１に対して干渉を与える基地局１−２，１−３のＨＳ−ＰＤＳＣＨのデータブロックの送信電力を制御することができるので、３つの基地局１−１〜１−３でソフトハンドオーバが行われる場合でも、移動局３−１でのスループットを向上させることができる。尚、本実施例では３つの基地局１−１〜１−３でソフトハンドオーバが行われる場合について述べたが、４つ以上の基地局でソフトハンドオーバが行われる場合にも適用可能である。
【０１００】
図２０は本発明の第５の実施例による基地局の構成を示すブロック図である。図２０において、本発明の第５の実施例による基地局６は送信タイミング検知部１５及び制御部１６の代わりに受信品質検知部６１及びその受信品質検知部６１の検知結果に応じて制御を行う制御部６２を設けた以外は図２の本発明の第１の実施例による基地局１と同様の構成となっており、同一構成要素には同一符号を付してある。また、同一構成要素の動作は本発明の第１の実施例と同様である。
【０１０１】
受信品質検知部６１はソフトハンドオーバ中の移動局（図示せず）から受信した自局及びソフトハンドオーバ中の他の基地局（図示せず）の共通パイロット信号の受信品質を制御部６２に通知する。制御部６２はそれら自局の受信品質と他の基地局の受信品質との差を計算し、その差が予め設定された所定のしきい値以上であれば、他の移動局（図示せず）へのＨＳ−ＰＤＳＣＨのデータの送信電力を制御する。
【０１０２】
図２１は本発明の第５の実施例による移動局の構成を示すブロック図である。図２１において、本発明の第５の実施例による移動局７は送信タイミング検知・通知部３７の代わりに受信品質測定部７１及び受信品質通知部７２を設けた以外は図３の本発明の第１の実施例による移動局３と同様の構成となっており、同一構成要素には同一符号を付してある。また、同一構成要素の動作は本発明の第１の実施例と同様である。
【０１０３】
受信品質測定部７１はユーザ情報・制御情報分離部３４で分離された共通パイロット信号の受信品質を測定し、その測定結果を受信品質通知部７２に通知する。受信品質通知部７２はソフトハンドオーバ中の基地局（図示せず）からの共通パイロット信号の受信品質を合成部３８に送り、ＨＳ−ＰＤＳＣＨのデータを送信する基地局以外の基地局に上り回線の個別信号を用いて通知する。
【０１０４】
尚、図示していないが、本発明の第５の実施例は図１に示す移動通信システムと同様の構成であり、図１に示す基地局１−１，１−２は上述した図２０に示す移動局６の構成と同様の構成となっており、その動作も移動局６の動作と同様である。また、図１に示す移動局３−１〜３−４は上述した図２１に示す移動局７の構成と同様の構成となっており、その動作も移動局７の動作と同様である。
【０１０５】
図２２は本発明の第５の実施例によるＨＳ−ＰＤＳＣＨのデータの送信タイミング調整処理を示すシーケンスチャートであり、図２３及び図２４は本発明の第５の実施例による図１の基地局１−１，１−２でのＨＳ−ＰＤＳＣＨのデータの送信タイミング調整処理を示すフローチャートであり、図２５は本発明の第５の実施例による図１の移動局３−１でのＨＳ−ＰＤＳＣＨのデータの受信処理を示すフローチャートである。これら図１と図２０〜図２５とを参照して本発明の第５の実施例によるＨＳ−ＰＤＳＣＨのデータの送受信について説明する。尚、図２２において、基地局制御装置２をＲＮＣとし、基地局１−１，１−２をＢＳ＃１，ＢＳ＃２とし、移動局３−１をＭＳ＃１としており、移動局３−１は基地局１−１，１−２との間でソフトハンドオーバにあるものとする。
【０１０６】
基地局１−１は基地局制御装置２から移動局３−１に送信すべきデータが入力されると（図２３ステップＳ６１）、移動局３−１にＨＳ−ＰＤＳＣＨのデータブロックを送信する（図２３ステップＳ６２）。
【０１０７】
この時、移動局３−１では基地局１−１からＨＳ−ＰＤＳＣＨのデータブロック（パケット＃１，＃２，・・・）を受信すると（図２５ステップＳ８１，Ｓ８２）、そのデータブロックが最後のデータブロックでなければ（図２５ステップＳ８３）、ソフトハンドオーバ中の基地局１−１，１−２各々からの共通パイロット信号の受信品質を受信品質測定部７１で測定し、ＨＳ−ＰＤＳＣＨのデータブロックを送信する基地局１−１にデータブロック受信の応答（ＡＣＫ）を送信するとともに、ＨＳ−ＰＤＳＣＨのデータブロックを送信しない基地局１−２に受信品質通知部７２から通知される受信品質を付加したデータブロック受信の応答を送信する（図２５ステップＳ８４）。
【０１０８】
基地局１−１は移動局３−１からデータブロック受信の応答を受信する毎に（図２３ステップＳ６３）、次のデータブロックを移動局３−１に順次送信していく（図２３ステップＳ６４）。
【０１０９】
一方、基地局１−２では移動局３−１からのデータブロック受信の応答に受信品質が付加されていれば（図２４ステップＳ６６）、受信した基地局１−１，１−２各々の受信品質の差を算出して比較する（図２４ステップＳ６７）。基地局１−２は基地局１−１，１−２各々の受信品質の差が予め設定された所定のしきい値以上であれば（図２４ステップＳ６８）、自局から別の移動局３−２または移動局３−４へのＨＳ−ＰＤＳＣＨのデータブロックの送信電力を制御する（図２４ステップＳ６９）。以後、基地局１−２では移動局３−１からの基地局１−１，１−２各々の受信品質の差が所定のしきい値以上である間、自局から別の移動局３−２または移動局３−４へのＨＳ−ＰＤＳＣＨのデータブロックの送信電力を制御する。
【０１１０】
また、移動局３−１は基地局１−１から最後のデータブロック（パケット＃ｎ）を受信すると（図２５ステップＳ８３）、ソフトハンドオーバ中の基地局１−１，１−２にデータブロックの受信終了通知を送信する（図２５ステップＳ８５）。
【０１１１】
基地局１−１は移動局３−１からデータブロックの受信終了通知を受信すると（図２３ステップＳ６５）、ステップＳ６１に戻って基地局制御装置２からの次のデータを待つ。また、基地局１−２は移動局３−１からの基地局１−１，１−２各々の受信品質の差が所定のしきい値以下になり（図２４ステップＳ６８）、しかもＨＳ−ＰＤＳＣＨのデータブロックの送信電力の制御中であれば（図２４ステップＳ７０）、自局から別の移動局３−２または移動局３−４へのＨＳ−ＰＤＳＣＨのデータブロックの送信電力の制御を解除し（図２４ステップＳ７１）、ステップＳ６１に戻って基地局制御装置２からの次のデータか、移動局３−１，３−２，３−４からの受信品質を待つ。
【０１１２】
これに対し、本実施例では移動局３−１が基地局１−１，１−２の共通パイロット信号の受信品質を測定し、基地局１−２において自局からの干渉が一定のレベルより大きい場合に、直接、自局から他の移動局３−２，３−４へのＨＳ−ＰＤＳＣＨのデータの送信電力を制御することで、システム全体のスループットを最大にすることができる。尚、本実施例のその他の効果は本発明の第１及び第２の実施例と同様である。
【０１１３】
図２６は本発明の第６の実施例によるＨＳ−ＰＤＳＣＨのデータの送信タイミング調整処理を示すシーケンスチャートであり、図２７及び図２８は本発明の第６の実施例による図１の基地局１−１，１−２でのＨＳ−ＰＤＳＣＨのデータの送信タイミング調整処理を示すフローチャートであり、図２９は本発明の第６の実施例による図１の移動局３−１でのＨＳ−ＰＤＳＣＨのデータの受信処理を示すフローチャートである。これら図１と図２６〜図２９とを参照して本発明の第６の実施例によるＨＳ−ＰＤＳＣＨのデータの送受信について説明する。尚、図２６において、基地局制御装置２をＲＮＣとし、基地局１−１，１−２をＢＳ＃１，ＢＳ＃２とし、移動局３−１をＭＳ＃１としており、移動局３−１は基地局１−１，１−２との間でソフトハンドオーバにあるものとする。
【０１１４】
基地局１−１は基地局制御装置２から移動局３−１に送信すべきデータが入力されると（図２７ステップＳ９１）、下り回線の個別信号を用いて移動局３−１にＨＳ−ＰＤＳＣＨのデータブロックの送信予告を送信する（図２７ステップＳ９２）。その後に、基地局１−１は移動局３−１にＨＳ−ＰＤＳＣＨのデータブロックを送信する（図２７ステップＳ９３）。
【０１１５】
この時、移動局３−１では基地局１−１からのＨＳ−ＰＤＳＣＨのデータブロックの送信予告を受信すると（図２９ステップＳ１１１）、そのデータブロックの送信予告を送信タイミング情報として基地局１−２に送信する（図２９ステップＳ１１２）。
【０１１６】
また、移動局３−１は基地局１−１からＨＳ−ＰＤＳＣＨのデータブロック（パケット＃１，＃２，・・・）を受信すると（図２９ステップＳ１１３）、そのデータブロックが最後のデータブロックでなければ（図２９ステップＳ１１４）、ソフトハンドオーバ中の基地局１−１，１−２各々からの共通パイロット信号の受信品質を受信品質測定部７１で測定し、ＨＳ−ＰＤＳＣＨのデータブロックを送信する基地局１−１にデータブロック受信の応答（ＡＣＫ）を送信するとともに、ＨＳ−ＰＤＳＣＨのデータブロックを送信しない基地局１−２に受信品質通知部７２から通知される受信品質を付加したデータブロック受信の応答を送信する（図２９ステップＳ１１５）。
【０１１７】
基地局１−１は移動局３−１からデータブロック受信の応答を受信する毎に（図２７ステップＳ９４）、次のデータブロックを移動局３−１に順次送信していく（図２７ステップＳ９５）。
【０１１８】
一方、基地局１−２では移動局３−１からの送信タイミング情報を受信すると（図２８ステップＳ９７）、基地局１−１から移動局３−１にデータブロックが送信されるタイミングを基に自局から別の移動局３−２または移動局３−４へのＨＳ−ＰＤＳＣＨのデータブロックの送信電力を制御する（図２８ステップＳ９８）。
【０１１９】
この場合、基地局１−２は移動局３−１からのデータブロック受信の応答に受信品質が付加されていれば（図２８ステップＳ９９）、受信した基地局１−１，１−２各々の受信品質の差を算出して比較する（図２８ステップＳ１００）。基地局１−２は基地局１−１，１−２各々の受信品質の差が予め設定された所定のしきい値以上であれば（図２８ステップＳ１０１）、自局から別の移動局３−２または移動局３−４へのＨＳ−ＰＤＳＣＨのデータブロックの送信電力を制御する（図２８ステップＳ９８）。以後、基地局１−２では移動局３−１からの基地局１−１，１−２各々の受信品質の差が所定のしきい値以上である間、自局から別の移動局３−２または移動局３−４へのＨＳ−ＰＤＳＣＨのデータブロックの送信電力を制御する。
【０１２０】
また、移動局３−１は基地局１−１から最後のデータブロック（パケット＃ｎ）を受信すると（図２９ステップＳ１１４）、ソフトハンドオーバ中の基地局１−１，１−２にデータブロックの受信終了通知を送信する（図２９ステップＳ１１６）。
【０１２１】
基地局１−１は移動局３−１からデータブロックの受信終了通知を受信すると（図２７ステップＳ９６）、ステップＳ９１に戻って基地局制御装置２からの次のデータを待つ。また、基地局１−２は移動局３−１からの基地局１−１，１−２各々の受信品質の差が所定のしきい値以下になり（図２８ステップＳ１０１）、しかもＨＳ−ＰＤＳＣＨのデータブロックの送信電力の制御中であれば（図２８ステップＳ１０２）、自局から別の移動局３−２または移動局３−４へのＨＳ−ＰＤＳＣＨのデータブロックの送信電力の制御を解除し（図２８ステップＳ１０３）、ステップＳ９１に戻って基地局制御装置２からの次のデータか、移動局３−１，３−２，３−４からの受信品質を待つ。
【０１２２】
本実施例では上述した本発明の第５の実施例のように、基地局１−２が移動局３−１からの受信品質の測定結果の到着を待ってＨＳ−ＰＤＳＣＨのデータブロックの送信電力の制御を行うのではなく、移動局３−１からの送信タイミング情報を基にＨＳ−ＰＤＳＣＨのデータブロックの送信電力の制御を行うので、最初から基地局１−２の干渉が大きい場合でも、直ぐにスループットの向上を図ることができる。尚、本実施例の他の効果は本発明の第５の実施例の効果と同様である。
【０１２３】
ここで、本発明の第５及び第６の実施例では、受信品質測定部７１で測定したソフトハンドオーバ中の基地局１−１，１−２各々からの共通パイロット信号の受信品質をそのままデータブロック受信の応答に付加して送信しているが、それら共通パイロット信号の受信品質の差を受信品質通知部７２で算出し、その算出値をデータブロック受信の応答に付加して送信するようにしてもよい。
【図面の簡単な説明】
【０１２４】
【図１】本発明の実施の形態による移動通信システムの構成を示すブロック図である。
【図２】本発明の第１の実施例による基地局の構成を示すブロック図である。
【図３】本発明の第１の実施例による移動局の構成を示すブロック図である。
【図４】本発明の第１の実施例によるＨＳ−ＰＤＳＣＨのデータの送信タイミング調整処理を示すシーケンスチャートである。
【図５】本発明の第１の実施例による図１の基地局でのＨＳ−ＰＤＳＣＨのデータの送信タイミング調整処理を示すフローチャートである。
【図６】本発明の第１の実施例による図１の基地局でのＨＳ−ＰＤＳＣＨのデータの送信タイミング調整処理を示すフローチャートである。
【図７】本発明の第１の実施例による図１の移動局でのＨＳ−ＰＤＳＣＨのデータの受信処理を示すフローチャートである。
【図８】本発明の第２の実施例による基地局の構成を示すブロック図である。
【図９】本発明の第２の実施例による移動局の構成を示すブロック図である。
【図１０】本発明の第２の実施例によるＨＳ−ＰＤＳＣＨのデータの送信タイミング調整処理を示すシーケンスチャートである。
【図１１】本発明の第２の実施例による図１の基地局でのＨＳ−ＰＤＳＣＨのデータの送信タイミング調整処理を示すフローチャートである。
【図１２】本発明の第２の実施例による図１の基地局でのＨＳ−ＰＤＳＣＨのデータの送信タイミング調整処理を示すフローチャートである。
【図１３】本発明の第２の実施例による図１の移動局でのＨＳ−ＰＤＳＣＨのデータの受信処理を示すフローチャートである。
【図１４】本発明の第３の実施例によるＨＳ−ＰＤＳＣＨのデータの送信タイミング調整処理を示すシーケンスチャートである。
【図１５】本発明の第３の実施例による図１の基地局でのＨＳ−ＰＤＳＣＨのデータの送信タイミング調整処理を示すフローチャートである。
【図１６】本発明の第３の実施例による図１の基地局でのＨＳ−ＰＤＳＣＨのデータの送信タイミング調整処理を示すフローチャートである。
【図１７】本発明の第３の実施例による図１の移動局でのＨＳ−ＰＤＳＣＨのデータの受信処理を示すフローチャートである。
【図１８】本発明の第４の実施例による移動通信システムの構成を示すブロック図である。
【図１９】図１８の基地局制御装置で決定される識別符号の一例を示す図である。
【図２０】本発明の第５の実施例による基地局の構成を示すブロック図である。
【図２１】本発明の第５の実施例による移動局の構成を示すブロック図である。
【図２２】本発明の第５の実施例によるＨＳ−ＰＤＳＣＨのデータの送信タイミング調整処理を示すシーケンスチャートである。
【図２３】本発明の第５の実施例による図１の基地局でのＨＳ−ＰＤＳＣＨのデータの送信タイミング調整処理を示すフローチャートである。
【図２４】本発明の第５の実施例による図１の基地局でのＨＳ−ＰＤＳＣＨのデータの送信タイミング調整処理を示すフローチャートである。
【図２５】本発明の第５の実施例による図１の移動局でのＨＳ−ＰＤＳＣＨのデータの受信処理を示すフローチャートである。
【図２６】本発明の第６の実施例によるＨＳ−ＰＤＳＣＨのデータの送信タイミング調整処理を示すシーケンスチャートである。
【図２７】本発明の第６の実施例による図１の基地局でのＨＳ−ＰＤＳＣＨのデータの送信タイミング調整処理を示すフローチャートである。
【図２８】本発明の第６の実施例による図１の基地局でのＨＳ−ＰＤＳＣＨのデータの送信タイミング調整処理を示すフローチャートである。
【図２９】本発明の第６の実施例による図１の移動局でのＨＳ−ＰＤＳＣＨのデータの受信処理を示すフローチャートである。
【符号の説明】
【０１２５】
１，１−１〜１−３，４，６  基地局
２  基地局制御装置
３，３−１〜３−４，５，７  移動局
１１，３１  アンテナ
１２，３２  送受信共用器
１３，３３  受信部
１４，３４  ユーザ情報・制御情報分離部
１５  ＨＳ−ＰＤＳＣＨデータ送信タイミング検知部
１６，３５，４２，６２  制御部
１７  変調・符号化部
１８  ＨＳ−ＰＤＳＣＨデータ送信タイミング通知部
１９，３８  合成部
２０，３９  送信部
２０，３０  記録媒体
２６  復調・復号化部
３７  ＨＳ−ＰＤＳＣＨデータ送信タイミング検知・通知部
４１  コードワード検知部
５１，７１  受信品質測定部
５２  コードワード通知部
６１  受信品質検知部
７２  受信品質通知部
【図１】
2005102319.tif 000003
【図２】
2005102319.tif 000004
【図３】
2005102319.tif 000005
【図４】
2005102319.tif 000006
【図５】
2005102319.tif 000007
【図６】
2005102319.tif 000008
【図７】
2005102319.tif 000009
【図８】
2005102319.tif 000010
【図９】
2005102319.tif 000011
【図１０】
2005102319.tif 000012
【図１１】
2005102319.tif 000013
【図１２】
2005102319.tif 000014
【図１３】
2005102319.tif 000015
【図１４】
2005102319.tif 000016
【図１５】
2005102319.tif 000017
【図１６】
2005102319.tif 000018
【図１７】
2005102319.tif 000019
【図１８】
2005102319.tif 000020
【図１９】
2005102319.tif 000021
【図２０】
2005102319.tif 000022
【図２１】
2005102319.tif 000023
【図２２】
2005102319.tif 000024
【図２３】
2005102319.tif 000025
【図２４】
2005102319.tif 000026
【図２５】
2005102319.tif 000027
【図２６】
2005102319.tif 000028
【図２７】
2005102319.tif 000029
【図２８】
2005102319.tif 000030
【図２９】
2005102319.tif 000031